(57)【要約】【課題】警報装置からの移報信号が継続している状態で報知を停止させても、その後の移報信号の継続を知ることが可能なインターホン装置およびインターホンシステムの提供を目的とする。【解決手段】警報装置１はセンサ１０の検知信号に基づいて報知を行う報知器１１と、報知を移報するための移報接点出力端子１２とを備え、インターホン装置２は、警報装置１に接続される移報接点入力端子２０と、移報接点入力端子２０から入力された移報信号に基づいて報知を行うスピーカ２９と、報知を停止する報知停止キーを含むキー操作部２６とを備え、インターホン装置２が、報知停止キーによる報知停止後に移報信号が入力され続けている場合にキー操作部２６の操作が行われることを条件に移報信号が継続している旨の通知を液晶表示部２３、ＬＥＤ表示部２４またはスピーカ２９により行う。【選択図】図１
2007011668.tif 000002
【特許請求の範囲】
【請求項１】
警報装置の出力端子と接続可能な入力端子と、該入力端子から入力された移報信号に基づいて報知を行う報知器と、同報知器による報知を停止する報知停止キーを含むキー操作部とを備えたインターホン装置であって、
移報信号による前記報知器の報知動作を前記報知停止キーにより停止させた後、前記移報信号が入力され続けている場合に前記移報信号が継続している旨の通知を行う通知手段を備えた
ことを特徴とするインターホン装置。
【請求項２】
前記通知手段は、移報信号により前記報知器の報知動作が開始されてから予め設定されている連続鳴動時間を超えて報知停止した後であって、移報信号が入力され続けている場合にも移報信号が継続している旨の通知を行うものである請求項１記載のインターホン装置。
【請求項３】
前記通知手段は、報知が停止した後でも移報信号が入力され続けている場合に、前記キー操作部の操作が行われたことに従って移報信号が継続している旨の通知を行うものである請求項１または２記載のインターホン装置。
【請求項４】
前記通知手段は、光の点灯または点滅により前記通知を行うものである請求項１または２記載のインターホン装置。
【請求項５】
視覚的な表示を行う表示部を備え、
前記通知手段は、前記表示部の点灯、点滅または文字表示により前記通知を行うものである請求項１または２記載のインターホン装置。
【請求項６】
前記通知手段は、音声により前記通知を行うものである請求項１または２記載のインターホン装置。
【請求項７】
センサと、同センサの検知信号に基づいて報知を行う第１の報知器と、前記報知を移報するための移報接点出力端子とを備えた警報装置と、
前記移報接点出力端子と接続される移報接点入力端子と、同移報接点入力端子から入力された移報信号に基づいて報知を行う第２の報知器と、第２の報知器による報知を停止する報知停止キーを含むキー操作部とを備えたインターホン装置とを有する警報機能付きインターホンシステムであって、
前記インターホン装置が、前記報知停止キーによる報知停止後または予め設定されている連続鳴動時間を超えて報知停止した後に前記移報信号が入力され続けている場合に前記移報信号が継続している旨の通知を行う通知手段をさらに備えたことを特徴とするインターホンシステム。
【請求項８】
前記通知手段は、報知が停止した後でも移報信号が入力され続けている場合に、前記キー操作部の操作が行われたことに従って移報信号が継続している旨の通知を行うものである請求項７記載のインターホンシステム。
【請求項９】
前記通知手段は、光の点灯または点滅により前記通知を行うものである請求項７記載のインターホンシステム。
【請求項１０】
前記インターホン装置は視覚的な表示を行う表示部を備え、
前記通知手段は、前記表示部の点灯、点滅または文字表示により前記通知を行うものである請求項７記載のインターホンシステム。
【請求項１１】
前記通知手段は、音声により前記通知を行うものである請求項７記載のインターホンシステム。
【発明の詳細な説明】
【技術分野】
【０００１】
本発明は、インターホン装置およびインターホン装置に警報装置を接続したインターホンシステムに関する。
【背景技術】
【０００２】
センサと、このセンサの検知信号に基づいて報知を行う報知器とを備え、それ自身により異常の検知および報知の両方を行う方式の警報装置がある。また、この種の警報装置では、報知器がセンサと一体となっているので、異常発生した場所から離れた場所では、ユーザが報知器による報知に気付かない恐れがある。
【０００３】
そこで、警報装置による報知を離れた場所にあるインターホン装置に移報し、インターホン装置により通知する警報機能付きインターホンシステムが開発されている。この警報機能付きインターホンシステムにおいては、警報装置による報知を、この警報装置から離れたインターホン装置でも行うことにより、異常発生した場所から離れた場所にいるユーザへ、いち早く異常を通知することができる。
【０００４】
また、この種のインターホンシステムでは、異常発生による正常な報知、または誤配線や警報装置の故障等による誤報が発生した場合に、報知が継続して行われることによる不都合を解消するため、無駄な報知を停止できるようにインターホン装置に報知停止キーを備えたものや、一定時間経過後に報知を自動停止するようにしたもの等がある。この場合、警報装置からの移報信号は継続して出されているが、インターホン装置において報知を停止する。
【０００５】
また、例えば、特許文献１には、集合住宅のインターホンシステムにおいて、火災感知器の作動後において、居室機側の警報音停止／復旧釦を押下した場合であっても、住棟受信機復旧釦を押下して火災感知器を復旧させるまでの間、戸外表示灯を継続して点灯または点滅させることにより、管理人等がいずれの住戸の火災感知器が作動したのかを知り得るようにした集合住宅インターホンシステムが記載されている。
【特許文献１】特開２００３−６７８７２号公報
【発明の開示】
【発明が解決しようとする課題】
【０００６】
上述のように、警報機能付きのインターホンシステムにおいて、警報装置からの移報信号が継続しているにも関わらず、報知を停止したままでいると、その後、警報装置がどのような状態であるか把握することができなくなる。また、誤配線や警報装置の故障等による誤報が発生していた場合に、報知を停止したままでは、その機器異常をそのまま放置してしまう可能性がある。
【０００７】
一方で、継続して報知を続けた場合、報知が音によるものでは音が継続するとうるさいという問題が発生し、また、報知が光の場合には光が継続して点灯または点滅していると、何の通知状態なのか分からなくなってしまうという問題が発生する。また、報知が継続すると、その間、電力を継続して消費することになるため、コストが増大するという問題が発生する。
【０００８】
そこで、本発明においては、警報装置からの移報信号が継続している状態で報知を停止させても、その後の移報信号の継続を知ることが可能なインターホン装置およびインターホンシステムを提供することを目的とする。
【課題を解決するための手段】
【０００９】
上記課題を解決するため、本発明は、警報装置の出力端子と接続可能な入力端子と、該入力端子から入力された移報信号に基づいて報知を行う報知器と、報知器による報知を停止する報知停止キーを含むキー操作部とを備えたインターホン装置またはインターホンシステムであって、インターホン装置が、報知停止キーによる報知停止後または予め設定されている連続鳴動時間を超えて報知停止した後に移報信号が入力され続けている場合にキー操作部の操作が行われることを条件に移報信号が継続している旨の通知を行う通知手段をさらに備えたことを特徴とする。
【発明の効果】
【００１０】
本発明のインターホン装置によれば、警報装置からの移報信号が継続している状態で報知を停止させても、その後、インターホン装置のキー操作が行われた際に移報信号の継続が通知され、ユーザは、報知停止後の移報信号の継続を知ることが可能となる。また、移報信号の継続の通知はインターホン装置のキー操作が行われた際に確実にユーザに通知されるので、常時報知する必要がなくなり、消費電力を削減することが可能となる。
【発明を実施するための最良の形態】
【００１１】
本願の第１の発明は、警報装置の出力端子の接続可能な入力端子と、該入力端子から入力された移報信号に基づいて報知を行う報知器と、同報知器による報知を停止する報知停止キーを含むキー操作部とを備え、移報信号による前記報知器の報知動作を前記報知停止キーにより停止させた後または予め設定されている連続鳴動時間を超えて報知停止した後に前記移報信号が入力され続けている場合に、前記移報信号が継続している旨の通知を行う通知手段を備えたものであり、警報装置からの移報信号が継続している状態で報知を停止させても、その後、例えばインターホン装置のキー操作が行われた際に移報信号の継続が通知され、ユーザは、報知停止後の移報信号の継続を知ることが可能となる。また、移報信号の継続の通知はインターホン装置のキー操作が行われた際に確実にユーザに通知されるので、消費電力を削減することが可能となる。
【００１２】
本願の第２の発明は、通知手段が、光の点灯または点滅により通知を行うようにしたものであり、インターホン装置のキー操作が行われた際に移報信号の継続が光の点灯または点滅により通知される。
【００１３】
本願の第３の発明は、インターホン装置が視覚的な表示を行う表示部を備え、表示部の点灯、点滅または文字表示により通知を行うようにしたものであり、インターホン装置のキー操作が行われた際に移報信号の継続が表示部の点灯、点滅または文字表示により通知される。
【００１４】
本願の第４の発明は、通知手段が、音声により通知を行うものである警報機能付きインターホンシステムとしたものであり、インターホン装置のキー操作が行われた際に移報信号の継続が音声により通知される。
【実施例】
【００１５】
以下、本発明の実施の形態について、図面を参照して説明する。
【００１６】
（実施の形態）
図１は本発明の実施の形態におけるインターホンシステムのブロック図である。
【００１７】
図１において、本発明の実施の形態におけるインターホンシステムは、警報装置１と、インターホン装置２と、玄関子機３とから構成される。警報装置１はインターホン装置２に接続される。インターホン装置２は一般的に室内に設置されており、玄関に設置された玄関子機３が操作された場合に来客の報知等の各種制御を行うものである。図３は、本発明の実施の形態におけるインターホンシステムを家屋に設置した様子を示す。
【００１８】
警報装置１は、例えば火災検知器や侵入者検知等のセンサ１０と、センサ１０の検知信号に基づいて音や光等により報知を行う報知器１１と、報知器１１による報知を移報するための移報接点出力端子１２とを備える。警報装置１とインターホン装置２とは伝送路１３により接続される。一方、玄関子機３とインターホン装置２とは伝送路３１により接続される。
【００１９】
インターホン装置２は、警報装置１の移報接点出力端子１２と接続される移報接点入力端子２０と、移報接点入力端子２０からの入力に基づいて制御を行う警報信号入力制御部２１と、各部の制御を行う中央制御部（ＣＰＵ）２２と、液晶により構成された表示部としての液晶表示部２３と、発光ダイオード（ＬＥＤ）により構成された表示部としてのＬＥＤ表示部２４と、ＣＰＵ２２のプログラムコードや警報音データ等を格納するメモリ部２５と、各種キーにより操作を行うためのキー操作部２６と、マイク２８およびスピーカ２９の制御を行う音響制御部２７と、玄関子機３の操作に基づいて各種制御を行う玄関子機制御部３０とを備える。
【００２０】
警報信号入力制御部２１は、移報接点入力端子２０から入力された移報信号を受けると、ＣＰＵ２２へ通知するものである。ＣＰＵ２２は、警報信号入力制御部２１から移報信号の通知を受けると、音響制御部２７へスピーカ２９により報知を行うように指示する。このとき、スピーカ２９は報知器として機能する。また、ＣＰＵ２２は、報知の指示を液晶表示部２３またはＬＥＤ表示部２４へ行う構成とすることも可能である。また、ＣＰＵ２２は、移報信号の入力状態をメモリ部２５へ格納する。
【００２１】
玄関子機制御部３０は、玄関子機３の呼釦３２が操作された際に、玄関子機３から受けた呼釦操作信号、映像信号や音声信号等を、ＣＰＵ２２へ通知するものである。ＣＰＵ２２は、玄関子機制御部３０から呼釦操作信号を受けると、音響制御部２７へスピーカ２９により報知を行うように指示する。また、ＣＰＵ２２は、玄関子機制御部３０から受けた音声信号をスピーカ２９から出力するように音響制御部２７へ指示するとともに、玄関子機制御部３０から受けた映像信号を液晶表示部２３に出力するように指示する。
【００２２】
キー操作部２６は、玄関子機３の呼釦３２の操作に対して応答するための応答キー３３や、スピーカ２９から報知が行われている場合に報知を停止する報知停止キー３４のキーを備える。ＣＰＵ２２は、応答キー３３が操作されると、音響制御部２７へマイク２８から入力された音声を送信するように指示し、この指示に対して音響制御部２７から送信された音声信号を玄関子機制御部３０へ渡し、玄関子機３から出力させる。
【００２３】
また、ＣＰＵ２２は、報知停止キー３４が操作された場合には、音響制御部２７に対してスピーカ２９による報知の停止を指示する。また、ＣＰＵ２２は、報知停止キー３４による報知停止後に移報接点入力端子２０から移報信号が入力され続けている場合であって、キー操作部２６による何らかの操作が行われた場合には、移報信号が継続している旨の通知を行うように、液晶表示部２３、ＬＥＤ表示部２４または音響制御部２７へ指示する。
【００２４】
液晶表示部２３は、ＣＰＵ２２からの指示に基づき、玄関子機制御部３０から受けた映像信号の表示、キー操作部２６の操作により行われる各種機能設定の内容表示や、移報信号が継続している旨を通知するための表示（例えば、画像または文字の表示や、液晶画面の点灯、点滅等）を行うものである。ＬＥＤ表示部２４は、移報信号が継続している旨を通知するための表示（例えば、ＬＥＤの光の点灯や点滅等）を行うものである。なお、音響制御部２７は、移報信号が継続している旨を通知するよう指示された場合には、音声を出力することにより通知を行う。
【００２５】
次に、上記構成の警報機能付きインターホンシステムによる警報動作時の詳細な処理について、図２のフローチャートに基づいて説明する。
（Ｓ１００）
警報装置１は、センサ１０が火災を検知すると、報知器１１による報知を行うとともに、移報接点出力端子１２から伝送路１３へ移報信号を出力する。
（Ｓ１０１）
インターホン装置２の警報信号入力制御部２１は、移報接点入力端子２０から移報信号が入力されると、ＣＰＵ２２へ通知する。
（Ｓ１０２）
ＣＰＵ２２は、メモリ部２５から報知音データを取得し、音響制御部２７へ報知音鳴動を要求する。
（Ｓ１０３）
音響制御部２７はスピーカ２９を起動して報知音を鳴動する。
（Ｓ１０４）
ＣＰＵ２２は、メモリ部２５に予め設定されている連続鳴動時間を超えたかどうか判断し、超えている場合にはステップＳ１０６の処理へ進み、超えていない場合にはステップＳ１０５の処理へ進む。
（Ｓ１０５）
ＣＰＵ２２は、キー操作部２６の報知停止キー３４が押下されたかどうか判断し、押下された場合にはステップＳ１０６の処理へ進み、押下されていない場合にはステップＳ１０４の処理へ戻る。
（Ｓ１０６）
ＣＰＵ２２は、音響制御部２７へ報知音鳴動の停止を要求し、スピーカ２９からの鳴動を停止する。
（Ｓ１０７）
ＣＰＵ２２は、伝送路１３からの報知信号が停止されたかどうか判断し、停止された場合には報知要因が消滅したとして報知動作終了（ステップＳ１０８）する。停止されていない場合にはステップＳ１０９の処理へ進む。
（Ｓ１０９）
ＣＰＵ２２はキー操作部２６によるキー操作を監視し、何らかのキー操作が行われた場合には、液晶表示部２３、ＬＥＤ表示部２４または音響制御部２７による移報信号継続の通知（ステップＳ１１０）を行い、ステップＳ１０７の処理へ戻る。キー操作が行われない場合には、そのままステップＳ１０７の処理へ戻る。
【００２６】
以上のように、本実施の形態における警報機能付きインターホンシステムでは、警報装置１からの移報信号が継続している状態で報知を停止させても、その後、インターホン装置２のキー操作が行われた際に移報信号の継続が通知され、ユーザは、報知停止後の移報信号の継続を知ることができる。また、移報信号の継続の通知はインターホン装置２のキー操作が行われた際に確実にユーザに通知されるので、消費電力を削減することができる。
【産業上の利用可能性】
【００２７】
本発明は、警報装置による報知を離れた場所にあるインターホン装置に移報し、インターホン装置により通知するシステムとして有用である。特に本発明は、警報装置からの移報信号が継続している状態で報知を停止させても、その後の移報信号の継続を知ることが可能なシステムとして好適である。
【図面の簡単な説明】
【００２８】
【図１】本発明の実施の形態におけるインターホンシステムのブロック図
【図２】図１のインターホンシステムによる警報動作時の詳細な処理を示すフローチャート
【図３】本発明の実施の形態におけるインターホンシステムを家屋に設置した様子を示す説明図
【符号の説明】
【００２９】
１    警報装置
２    インターホン装置
３    玄関子機
１０    センサ
１１    報知器
１２    移報接点出力端子
２０    移報接点入力端子
２１    警報信号入力制御部
２２    ＣＰＵ
２３    液晶表示部
２４    ＬＥＤ表示部
２５    メモリ部
２６    キー操作部
２７    音響制御部
２８    マイク
２９    スピーカ
３０    玄関子機制御部
【図１】
2007011668.tif 000003
【図２】
2007011668.tif 000004
【図３】
2007011668.tif 000005